(57)【特許請求の範囲】
【請求項１】
断熱性の壁で区画された複数の庫室を有し、各庫室にはそれぞれ電動膨張弁付きの内部熱交換器及びファンが設けられ、それらの電動膨張弁と内部熱交換器は、庫室外に設けられた圧縮機と外部熱交換器に接続され、電磁弁で冷媒の流れ方向を切り換えることにより前記それぞれの内部熱交換器を蒸発器として作用させて庫室内を冷却したり、凝縮器として作用させて庫室内を加温したりできるようにした自動販売機を制御する自動販売機制御装置であって、
起動後、加温用庫室の庫内温度が所定値に上昇するまで外部熱交換器の凝縮機能を停止させるとともに、加温用庫室の内部熱交換器の温度が所定値に上昇するまで、加温用庫室のファンを停止させることを特徴とする自動販売機制御装置。
【請求項２】
起動後、加温用庫室の庫内温度が所定値に上昇するまで、冷却用庫室のファンをフル運転させることを特徴とする請求項１記載の自動販売機制御装置。
【発明の詳細な説明】
【０００１】
【発明の属する技術分野】
本発明は、缶飲料などの商品を冷却又は加温して販売する自動販売機の冷却制御を行う自動販売機制御装置に関するものである。
【０００２】
【従来の技術】
図９は、自動販売機の内部構造図である。図９において、１は圧縮機、２は外部熱交換器、３〜５は内部熱交換器、１１〜１４はファン、２８は電気ヒータ、２９は漏電遮断器、３０は商品ラック、３１は搬出シュート、３２は断熱区画壁、３３は外断熱壁、３４は前面扉、３５は商品取出口である。
【０００３】
外断熱壁３３と断熱性の前面扉３４で囲まれた庫内は、断熱区画壁３２，３２によって３個の庫室Ａ，Ｂ，Ｃに区画されており、それぞれの庫室Ａ，Ｂ，Ｃを個別に冷却したり加温したりして冷たい飲料と温かい飲料の両方を販売していた。そして、冷却用庫室は、圧縮機１，外部熱交換器２，内部熱交換器３〜５等よりなる周知の冷凍サイクルによって冷却し、加温用庫室は電気ヒータ２８によって加温するようにしていた。
【０００４】
そのような、従来の自動販売機では、冷却用庫室を冷却する冷凍サイクルで発生した排熱は、外部熱交換器２を介して外部に放出させる一方、加温用庫室の加温手段としては、電気ヒータ２８を使用しており、効率が良くなかった。そこで、本出願人は、特願平11-255466号として、ヒートポンプ式の冷却・加温装置を採用した自動販売機を提案した。
【０００５】
図１は、ヒートポンプ式の冷却・加温装置を採用した自動販売機の冷媒回路図である。符号は、図９のものに対応しており、６〜９は電動膨張弁、１０は気液分離器、１５Ａ〜１７Ｂは電磁弁、１８Ａ〜２０Ｂは各庫室Ａ〜Ｃの庫内温度及び内部熱交換器３〜５の温度を検知するための温度センサ、２１は外部熱交換器２に設けられていて外気温度を検知するための温度センサである。電磁弁１５Ａ〜１７Ｂを切り換えることにより、内部熱交換器３〜５を蒸発器として使ってそれが設けられた庫室内を冷却したり、凝縮器として使って、その排熱を利用して庫室内を加温したりする。その結果、従来は外部に捨てていた冷凍サイクルの排熱を有効活用できて、自動販売機の電力消費を大幅に低減させることができる。
【０００６】
この自動販売機の圧縮機１は、インバータ電源により駆動され、電源周波数に応じた回転数で運転される。そして、起動時は、まず各庫室のファン１２〜１４を起動した後、圧縮機を起動し、各庫室の冷却あるいは加温を開始することになる。その後、各庫室の庫内温度が設定温度に達するまで圧縮機をフル運転させる。
【０００７】
各庫室の庫内温度が設定温度に達した後の庫内温度の制御は、圧縮機１の電源周波数を変化させたり、各庫室のファン１２〜１４の回転速度を変化させたり、電動膨張弁７〜９の開度を調整したりすることにより行うようにした。
【０００８】
すなわち、冷却用庫室の庫内温度が設定範囲より高くなったり、加温用庫室の庫内温度が設定範囲より低くなったりしたら、インバータ電源の周波数を高くして圧縮機１の能力を上げ、逆に、冷却用庫室の庫内温度が設定範囲より低くなったり、加温用庫室の庫内温度が設定範囲より高くなったりしたら、インバータ電源の周波数を低くして圧縮機１の能力を下げる。また、それぞれの庫室毎の庫内温度は、ファン１２〜１４の回転速度を変化させたり、電動膨張弁７〜９の開度を調整したりすることにより調節する。
【０００９】
本出願人が提案したヒートポンプ式の冷却・加温装置を採用した自動販売機では、そのようにして各庫室の庫内温度が設定範囲に入るようにした。
【００１０】
【発明が解決しようとする課題】
しかしながら、そのような制御方法では、加温用庫室において、前記電気ヒータ式のものに比べて改善されたとはいえ、起動後、内部熱交換器の温度が設定温度まで上昇するのに時間がかかるという問題点があった。
【００１１】
本発明は、そのような問題点を解決すること、すなわち、加温用庫室において、起動後、内部熱交換器の温度が設定温度まで上昇する時間をできるだけ短くすることを目的とするものである。
【００１２】
【課題を解決するための手段】
前記課題を解決するため、請求項１に記載の自動販売機制御装置は、断熱性の壁で区画された複数の庫室を有し、各庫室にはそれぞれ電動膨張弁付きの内部熱交換器及びファンが設けられ、それらの電動膨張弁と内部熱交換器は、庫室外に設けられた圧縮機と外部熱交換器に接続され、電磁弁で冷媒の流れ方向を切り換えることにより前記それぞれの内部熱交換器を蒸発器として作用させて庫室内を冷却したり、凝縮器として作用させて庫室内を加温したりできるようにした自動販売機を制御する自動販売機制御装置であって、起動後、加温用庫室の庫内温度が所定値に上昇するまで外部熱交換器の凝縮機能を停止させるとともに、加温用庫室の内部熱交換器の温度が所定値に上昇するまで、加温用庫室のファンを停止させることを特徴とする。このようにすると、加温用庫室において、起動後、内部熱交換器の温度が設定温度まで上昇するのが早くなる上、温度上昇中に、まだ温度が低くなっている庫内空気との熱交換が少なくなって、内部熱交換器の温度が設定温度まで上昇するのがさらに早くなる。
【００１４】
また、請求項２に記載の自動販売機制御装置は、起動後、加温用庫室の庫内温度が所定値に上昇するまで、冷却用庫室のファンをフル運転させることを特徴とする。このようにすると、冷却用庫室の内部熱交換器における蒸発温度が高くなり、その結果、加温用庫室の内部熱交換器の凝縮温度を高めることができて、内部熱交換器の温度がさらに早く設定温度まで上昇するようになる。
【００１５】
【発明の実施の形態】
以下、本発明の実施の形態を図面に基づいて詳細に説明する。冷媒回路は、図１のものを用いる。そして、図２は、本発明の自動販売機制御装置の制御ブロック図である。符号は、図１のものに対応している。主制御部２２は、販売制御部２３，入力制御部２４，接客制御部２５，硬貨処理制御部２６等の自動販売機各部を個別に制御する端末制御部を統括して制御する。
【００１６】
販売制御部２３は、自動販売機内の各庫室の冷却，加温を制御したり、商品搬出装置２７を制御したりする。入力制御部２４は、リモコン式の入力装置と主制御部２２との間のデータ入出力を制御する。接客制御部２５は、自動販売機前面に設けられた商品選択ボタン（図示せず）の動作監視や、売切表示ランプ，投入金額表示器等の表示制御などを行う。硬貨処理制御部２６は、硬貨投入口から投入された硬貨の識別やつり銭の払出し等を行う。各制御部は、マイコンによって構成される。
【００１７】
販売制御部２３には、各庫室の冷却，加温を制御するため、前述の圧縮機１，電動膨張弁６〜９，ファン１１〜１４，電磁弁１５Ａ〜１７Ｂ，温度センサ１８Ａ〜２０Ｂ，２１が接続されている。
【００１８】
ここで、まず、図１及び図２に基づいて冷媒回路の動作を説明する。図１は、庫室Ａ，Ｂを冷却し、庫室Ｃだけを加温する場合を示している。この運転モードを、冷却Ｃｏｏｌの「Ｃ」と加温Ｈｏｔの「Ｈ」をとり、庫室Ａ，Ｂを冷却し、庫室Ｃだけを加温するという意味で、「ＣＣＨ運転」と表示することとする。また、この実施形態の自動販売機では、各熱交換器の容量は、内部熱交換器４の容量を１としたとき、内部熱交換器５の容量が２、内部熱交換器３の容量が３、そして、外部熱交換器２の容量が６となるように設計されているものとする。
【００１９】
販売制御部２３は、外部熱交換器２の電磁弁１５Ａを開き、他方の電磁弁１５Ｂを閉じる。また、内部熱交換器４，５の電磁弁１６Ａ，１７Ｂを閉じ、他方の電磁弁１６Ｂ，１７Ａを開く。そしてまた、外部熱交換器２の電動膨張弁６と内部熱交換器５の電動膨張弁９は全開とし、内部熱交換器３，４の電動膨張弁７，８は、各庫室Ａ，Ｂの温度に応じて開度が調整される。
【００２０】
その状態で、圧縮機１から吐出された冷媒は、電磁弁１５Ａと電磁弁１７Ａに分流され、外部熱交換器２と内部熱交換器５へと流れ、それらで凝縮液化された後、電動膨張弁７，８に分配されてそこで減圧されてから内部熱交換器３，４に流入する。内部熱交換器３，４に流入した冷媒は、内部熱交換器３，４内部で気化した後、気液分離器１０を経て圧縮機１に戻る。
【００２１】
このようにして、図１のものでは、外部熱交換器２と内部熱交換器５は凝縮器として作用し、内部熱交換器３，４は、蒸発器として作用する。その結果、二つの庫室Ａ，Ｂは冷却され、残りの庫室Ｃは加温される。その際、内部熱交換器３の容量が３、内部熱交換器４の容量が１であり、内部熱交換器５の容量が２であるので、外部熱交換器２の必要容量は２となる。そこで、販売制御部２３は、外部熱交換器２のファン１１の回転数を下げて、冷媒圧力がアンバランスにならないように調整する。
【００２２】
次に、庫室Ａ，Ｃを冷却し、庫室Ｂだけを加温する場合、すなわち、ＣＨＣ運転の場合を説明する。図３は、ＣＨＣ運転時の冷媒回路図である。販売制御部２３は、外部熱交換器２の電磁弁１５Ａを開き、他方の電磁弁１５Ｂを閉じる。また、内部熱交換器４，５の電磁弁１６Ａ，１７Ｂを開き、他方の電磁弁１６Ｂ，１７Ａを閉じる。そしてまた、外部熱交換器２の電動膨張弁６と内部熱交換器５の電動膨張弁８は全開とし、内部熱交換器３，５の電動膨張弁７，９は、庫室Ａ，Ｃの温度に応じて開度が調整される。
【００２３】
その状態で、圧縮機１から吐出された冷媒は、電磁弁１５Ａと電磁弁１６Ａに分流され、外部熱交換器２と内部熱交換器４へと流れ、それらで凝縮液化された後、電動膨張弁７，９に分配される。そこで減圧されてから内部熱交換器３，５に流入する。内部熱交換器３，５に流入した冷媒は、内部熱交換器３，５内部で気化した後、気液分離器１０を経て圧縮機１に戻る。
【００２４】
このようにして、図３のものでは、外部熱交換器２と内部熱交換器４は凝縮器として作用し、内部熱交換器３，５は、蒸発器として作用する。その結果、二つの庫室Ａ，Ｃは冷却され、残りの庫室Ｂは加温される。その際、内部熱交換器３の容量が３、内部熱交換器５の容量が２であり、内部熱交換器４の容量が１である。そこで、販売制御部２３は、外部熱交換器２のファン１１の回転数を下げて、冷媒圧力がアンバランスにならないように調整する。
【００２５】
次に、庫室Ａだけを冷却し、庫室Ｂ，Ｃを加温する場合、すなわち、ＣＨＨ運転の場合を説明する。図４は、ＣＨＨ運転時の冷媒回路図である。販売制御部２３は、外部熱交換器２の電磁弁１５Ａ，１５Ｂは両方とも閉じる。また、内部熱交換器４，５の電磁弁１６Ａ，１７Ａを開き、他方の電磁弁１６Ｂ，１７Ｂを閉じる。そしてまた、外部熱交換器２の電動膨張弁６と内部熱交換器４，５の電動膨張弁８，９は全開とし、内部熱交換器３の電動膨張弁７は、庫室Ａの温度に応じて開度が調整される。
【００２６】
その状態で、圧縮機１から吐出された冷媒は、電磁弁１６Ａと電磁弁１７Ａに分流され、内部熱交換器４，５へと流れ、それらで凝縮液化された後、電動膨張弁７に流入する。そこで減圧されてから内部熱交換器３に流入する。内部熱交換器３に流入した冷媒は、内部熱交換器３内部で気化した後、気液分離器１０を経て圧縮機１に戻る。
【００２７】
このようにして、図４のものでは、内部熱交換器４，５は凝縮器として作用し、内部熱交換器３は、蒸発器として作用する。その結果、庫室Ａは冷却され、残りの二つの庫室Ｂ，Ｃは加温される。その際、内部熱交換器３の容量が３、内部熱交換器４の容量が１であり、内部熱交換器５の容量が２であるので、それらだけでバランスし、外部熱交換器２は不要となる。
【００２８】
次に、三つの庫室Ａ，Ｂ，Ｃを共に冷却する場合、すなわち、ＣＣＣ運転の場合を説明する。図５は、ＣＣＣ運転時の冷媒回路図である。販売制御部２３は、外部熱交換器２の電磁弁１５Ａを開き、他方の電磁弁１５Ｂを閉じる。また、内部熱交換器４，５の電磁弁１６Ａ，１７Ａを閉じ、他方の電磁弁１６Ｂ，１７Ｂを開く。そしてまた、外部熱交換器２の電動膨張弁６は全開とし、内部熱交換器３〜５の電動膨張弁７〜９は、各庫室の温度に応じて開度が調整される。
【００２９】
その状態で、圧縮機１から吐出された冷媒は、電磁弁１５Ａから外部熱交換器２へと流れ、凝縮液化された後、電動膨張弁７〜９に分配されてそこで減圧されてから内部熱交換器３〜５に流入する。内部熱交換器３〜５に流入した冷媒は、内部熱交換器３〜５内部で気化した後、気液分離器１０を経て圧縮機１に戻る。
【００３０】
このようにして、図５のものでは、外部熱交換器２は凝縮器として作用し、内部熱交換器３〜５は、蒸発器として作用する。その結果、三つの庫室Ａ，Ｂ，Ｃは、全てが冷却される。
【００３１】
以上の運転モードの内、本発明は、図１及び図３に示す例のように、いずれかの庫室の内部熱交換器と外部熱交換器とを凝縮器として作用させて、前記一つの庫室を加温し、残りの庫室を冷却する場合に適用するものである。そして、起動後、加温用庫室の庫内温度が設定温度に達するまでは、内部熱交換器５の凝縮を優先させて早く温度が上昇するように、電磁弁１５Ａを閉じ、電磁弁１５Ｂを開け、電動膨張弁６を全閉の状態にして外部熱交換器２を実質的に凝縮器として機能させないようにする。なお、電磁弁１５Ｂを開けるのは、庫外のファン１１が圧縮機１の冷却を兼ねており、ファン１１を完全に止めることができず、それにより外部熱交換器２が少なからず熱交換を行ってしまうため、熱交換した冷媒を冷媒回路側に回収するためである。
【００３２】
そのように冷媒回路を設定した後、庫外のファン１１を最低速度である４０％運転させ、冷却用庫室のファン１２，１３をフル運転させ、加温用庫室のファン１４は止めたままにして圧縮機１を起動する。冷却用庫室のファン１２，１３をフル運転させ、加温用庫室のファン１４を止めたままにするのは、冷却用庫室の冷却を犠牲にして内部熱交換器３,４の蒸発温度を高めにし、加温用の内部熱交換器５の凝縮温度を高くするためである。電気ヒータにより加温する方式の従来の自動販売機では、加温用庫室のファンを止めたままヒータを加熱するとヒータが焼き付いて損傷するため、そのようなことはできなかったが、内部熱交換器を凝縮器として作用させて、その庫室を加温するヒートポンプ式の自動販売機では、それが可能になる。
【００３３】
そして、圧縮機１を起動する際、圧縮機１に負担をかけないように、最初、圧縮機を低速（例えば、電源周波数５０Ｈｚ）で起動し、定常速度より高い所定速度（例えば、電源周波数８０Ｈｚ）まで徐々に加速していく（例えば、電源周波数を５Ｈｚ／５minずつ上げていく）。なお、圧縮機はインバータにより駆動され，電源周波数に応じた回転数で運転される。そのようにして圧縮機１を運転すると、冷却用庫室の庫内温度は徐々に低下していき、加温用庫室の庫内温度は徐々に上昇していく。
【００３４】
すなわち、加温用庫室の庫内温度は、図６に実線で示すように、時点ｔ0で圧縮機１を起動すると、常温ＴJから徐々に上昇していくが、ファン１４が停止されたままであるので、温度上昇は非常に緩やかになり、その庫室の内部熱交換器の温度だけが上昇する。そして、その内部熱交換器の温度が所定の温度に達した時点ｔ1でファン１４を低速で起動する。その後、庫内温度がある程度上昇した時点ｔ2で、ファン１４の回転速度を増加させる。そして、庫内温度がさらに高くなった時点ｔ3でファン１４をフル運転させる。その結果、庫内温度は、段階的に上昇していき、時点ｔ4で設定温度ＴSに達する。
【００３５】
その時点ｔ0から時点ｔ4までの期間をプルアップ期間といい、その長さは、８〜１２時間程度要する。ここで、上記庫内温度の上昇を、図６に点線で示す、ファンを最初から回転させた場合の上昇と比較すると、上昇速度が緩やかになっていることが分かる。その分、プルアップ期間の庫外温度との温度差が小さくなり、熱リークが小さくなる。その結果、エネルギー効率が良くなって、図６にΔｔで示す時間だけ、プルアップ期間が短くなる。
【００３６】
次に、フローチャートを使ってプルアップの制御手順について説明する。
図７は、本発明の自動販売機制御装置のプルアップ制御手順を示すフローチャートである。
ステップ１…圧縮機に負担をかけないように、圧縮機を低速（例えば、電源周波数５０Ｈｚ）で起動し、定常速度より高い所定速度（例えば、電源周波数８０Ｈｚ）まで徐々に加速していく（例えば、電源周波数を５Ｈｚ／５ｍｉｎずつ上げていく）。なお、圧縮機はインバータにより駆動され，電源周波数に応じた回転数で運転される。
【００３７】
ステップ２…加温用庫室の内部熱交換器に設けられた温度センサから内部熱交換器温度ＴEVを取得する。
ステップ３…内部熱交換器温度ＴEVが所定の温度、例えば、７０℃に達したか否かを判別する。
ステップ４…達したら、その庫室のファンを４０％の回転速度で回転させる。なお、ファンは、ＤＣモータで駆動され、回転速度を多段階で調整できるようにしている。
【００３８】
ステップ５…１０分が経過したか否かを判別する。
ステップ６…経過したら、その庫室に収納された次販商品の温度を、一定期間、例えば、５分間の平均温度Ｔ1として取得する。５分間平均温度Ｔ1としては、次販商品に近接して設けられた温度センサから、例えば、３０秒毎に温度データを１０回取得し、その平均をとる。
【００３９】
ステップ７…その５分間平均温度Ｔ1と、前回の５分間平均温度Ｔ0との差をとり、その差が２℃を超えているか否かを判別する。なお、それが最初の５分間である場合は、前回の５分間平均温度Ｔ0として、起動時の温度センサ出力等、適当な値を用いる。その結果、差が２℃を超えていたら、４０％運転のファンでまだ十分効いているとみて、ステップ５に戻す。
【００４０】
ステップ８…ステップ７で差が２℃以下になっていたら、ファンを７０％の回転速度に切り換えて、ファンの能力を上げる。
ステップ９…１０分が経過したか否かを判別する。
ステップ１０…経過したら、その庫室に収納された次販商品の温度を、一定期間、例えば、５分間の平均温度Ｔ1として取得する。
【００４１】
ステップ１１…その５分間平均温度Ｔ1と、前回の５分間平均温度Ｔ0との差をとり、その差が２℃を超えているか否かを判別する。その結果、差が２℃を超えていたら、７０％運転のファンでまだ十分効いているとみて、ステップ９に戻す。
ステップ１２…差が２℃以下になっていたら、ファンを１００％の回転速度に切り換えて、ファンの能力をさらに上げる。
ステップ１３…１０分が経過したか否かを判別する。
【００４２】
ステップ１４…１０分経過したら、温度センサから次販商品の温度ＴCを取得する。
ステップ１５…次販商品の温度ＴCが設定温度、例えば、６０℃に達したか否かを判別する。
【００４３】
ステップ１６…設定温度に達したら、庫内空気の対流による熱リークを防ぐため加温用庫室のファンを停止させる。なお、ファンを完全に停止させると内部熱交換器に近い次販商品はよいが、内部熱交換器から離れた商品の温度が低下する。そこで、ある程度の商品本数を温蔵する仕様の自動販売機では、ファンを低速（例えば、４０％の速度）で運転し、ラックの中段あるいは上段まで温風を回すようにしてもよい。
【００４４】
ステップ１７…内部熱交換器に設けられた温度センサから内部熱交換器温度ＴEVを取得する。
ステップ１８…内部熱交換器温度ＴEVが所定の温度、例えば、６０℃まで低下したか否かを判別し、低下したら、圧縮機の運転速度を定常速度（例えば、電源周波数５０Ｈｚ）まで低減させて、定常運転に入る。
【００４５】
一方、冷却用庫室では、加温用庫室の次販商品の温度ＴCが設定温度に達した後、定常状態の運転に入る前に、フル運転していたファンの速度を低下させる。次に、プルアップ直後の冷却用庫室のファン制御について説明する。
【００４６】
図８は、プルアップ直後の冷却用庫室のファン制御手順を示すフローチャートである。このフローチャートは、庫室Ａのファン制御を示しており、庫室Ｂにおいても同様な処理が行われる。
【００４７】
ステップ１…二つの冷却用庫室Ａ，Ｂの内部熱交換器に設けられた温度センサ１８Ｂ，１９Ｂから内部熱交換器温度ＴA，ＴBを取得し、庫室Ａの内部熱交換器温度ＴAが庫室Ｂの内部熱交換器温度ＴBより大きいか否かを判別する。
ステップ２…庫室Ａの内部熱交換器温度ＴAが大きかったら、庫室Ａのファン１２を７０％運転に落とす。
【００４８】
ステップ３…１０分が経過したか否かを判別する。
ステップ４…経過したら、庫室Ａの内部熱交換器温度を、一定期間、例えば、５分間の平均温度ＴA1として取得する。５分間平均温度ＴA1としては、内部熱交換器３に設けられた温度センサ１８Ｂから、例えば、温度データを３０秒毎に１０回取得し、その平均をとる。
【００４９】
ステップ５…前回の５分間平均温度ＴA0と、その５分間平均温度ＴA1との差をとり、その差が２℃を超えているか否かを判別する。なお、それが最初の５分間である場合は、前回の５分間平均温度ＴA0として、起動時の温度センサ出力等、適当な値を用いる。その結果、差が２℃を超えていたら、７０％運転のファンでまだ十分効いているとみて、ステップ３に戻す。
ステップ６…差が２℃以下であったら、庫室Ａのファン１２を４０％運転に落とす。
【００５０】
ステップ７…１０分が経過したか否かを判別する。
ステップ８…経過したら、庫室Ａの内部熱交換器温度の５分間の平均温度ＴA1を取得する。
ステップ９…前回の５分間平均温度ＴA0と、その５分間平均温度ＴA1との差をとり、その差が２℃を超えているか否かを判別する。その結果、差が２℃を超えていたら、４０％運転のファンでまだ十分効いているとみて、ステップ７に戻す。
【００５１】
ステップ１０…差が２℃以下であったら、庫室Ａのファン１２を停止させる。ステップ１１…ステップ１で庫室Ｂの内部熱交換器温度ＴBでより大きくなかったら、庫室Ｂのファン１３が停止したか否かを判別し、庫室Ｂのファン１３が停止してから、ステップ２以下を実行する。
【００５２】
定常状態の運転に入るに当たって、まず、外部熱交換器２の電磁弁１５Ａを開き、電磁弁１５Ｂを閉じて、さらに、電動膨張弁６を全開にして、外部熱交換器２による凝縮を開始させる。それと同時に、圧縮機１の回転を落として、それ以上加温用庫室の庫内温度が上昇しないようにする。その後は、各部の温度センサの出力に基づいて庫内温度を所定の範囲内に維持させる。
【００５３】
その際に、凝縮器側の温度データとしては、外部熱交換器２の温度と、内部熱交換器５の温度とがあり、本来は、両者が同じ温度になるはずであるが、熱交換器の容積の差，熱交換器周囲の温度の差，配管圧損の差等が原因となって、両者の温度に差が出る。そこで、商品の近くにある内部熱交換器５の温度を凝縮器側の温度データとして用いることとし、外部熱交換器２の温度は無視する。
【００５４】
【発明の効果】
本発明は、以上説明したように構成されているので、次に記載するような効果を奏する。
すなわち、請求項１に記載の自動販売機制御装置は、ヒートポンプ式の自動販売機の起動後、加温用庫室の庫内温度が所定値に上昇するまで外部熱交換器の凝縮機能を停止させるとともに、加温用庫室の内部熱交換器の温度が所定値に上昇するまで、加温用庫室のファンを停止させるようにしたので、加温用庫室において、起動後、内部熱交換器の温度を早く設定温度まで上昇させることができ、また、温度上昇中に、まだ温度が低くなっている庫内空気との熱交換が少なくなって、内部熱交換器の温度が設定温度まで上昇するのがさらに早くなる。
【００５６】
また、請求項２に記載の自動販売機制御装置は、起動後、加温用庫室の庫内温度が所定値に上昇するまで、冷却用庫室のファンをフル運転させるようにしたので、冷却用庫室の内部熱交換器における蒸発温度が高くなり、その結果、加温用庫室の内部熱交換器の凝縮温度を高めることができて、内部熱交換器の温度がさらに早く設定温度まで上昇するようになる。
【図面の簡単な説明】
【図１】本発明を適用する自動販売機の冷媒回路図である。
【図２】本発明の自動販売機制御装置の制御ブロック図である。
【図３】ＣＨＣ運転時の冷媒回路図である。
【図４】ＣＨＨ運転時の冷媒回路図である。
【図５】ＣＣＣ運転時の冷媒回路図である。
【図６】プルアップ時の庫内温度の変化図である。
【図７】本発明の自動販売機制御装置のプルアップ制御手順を示すフローチャートである。
【図８】プルアップ直後の冷却用庫室のファン制御手順を示すフローチャートである。
【図９】自動販売機の内部構造図である。
【符号の説明】
１…圧縮機
２…外部熱交換器
３〜５…内部熱交換器
６〜９…電動膨張弁
１１〜１４…ファン
１５Ａ〜１７Ｂ…電磁弁
１８Ａ〜２１…温度センサ
２８…電気ヒータ
２９…漏電遮断器
３０…商品ラック
３１…搬出シュート
３２…断熱区画壁
３３…外断熱壁
【図１】
0004385538.tif 000002
【図２】
0004385538.tif 000003
【図３】
0004385538.tif 000004
【図４】
0004385538.tif 000005
【図５】
0004385538.tif 000006
【図６】
0004385538.tif 000007
【図７】
0004385538.tif 000008
【図８】
0004385538.tif 000009
【図９】
0004385538.tif 000010